(57)【要約】【課題】  本発明は、画像表示装置に関し、例えば電子スチルカメラに適用して、カラーフィルタの配列方式が異なる場合であっても、表示に供する画像データの処理回路を共用化することができるようにする。【解決手段】  本発明は、色データＤＲ、ＤＧ、ＤＢを順次選択して位相特性を補正して出力するようにして、色データＤＲ、ＤＧ、ＤＢの選択順序、位相特性を補正する特性を設定可能とする。【選択図】        図１
2006047603.tif 000002
【特許請求の範囲】
【請求項１】
画素をマトリックス状に配置してなる表示部で画像を表示する画像表示装置において、
赤色、緑色、青色による色データを所定の選択順序により順次選択して出力するセレクタと、
前記色データ毎に、前記セレクタより出力される色データの位相を補正して出力する位相補正回路とを備え、
前記セレクタは、
前記選択順序の設定手段を有し、
前記設定手段による設定により、前記表示部における画素配列に対応するように前記選択順序が設定され、
前記位相補正回路は、
前記色データの位相を補正する特性を設定する特性設定手段を有し、
前記特性設定手段による設定により、前記表示部における前記画素配列に対応するように前記色データの空間位相を補正する
ことを特徴とする画像表示装置。
【請求項２】
前記セレクタにおいて切り換え可能な前記選択順序が、
ストライプ配列による画素配列に対応する選択順序と、デルタ配列による画素配列に対応する選択順序であり、
前記位相補正回路における設定可能な特性が、
ストライプ配列による画素配列に対応して前記色データの位相を補正する特性と、デルタ配列による前記画素配列に対応して前記色データの位相を補正する特性とである
ことを特徴とする請求項１に記載の画像表示装置。
【請求項３】
前記選択順序の設定手段は、
前記配列順序のデータを設定するレジスタであり、
前記セレクタは、
前記選択順序の設定手段による前記レジスタの値に基づいて、順次、前記色データを選択して出力し、
前記特性設定手段は、
偶数ラインと奇数ラインとで、前記表示部における水平方向の走査開始端の画素における空間位相を設定するレジスタであり、
前記位相補正回路は、
前記特性設定手段による前記レジスタの値に応じて、各画素毎に、補正係数を検出する出力位相演算手段と、
前記補正係数により、前記セレクタから出力される色データを補正するＦＩＲフィルタとを有する
ことを特徴とする請求項２に記載の画像表示装置。
【請求項４】
画素をマトリックス状に配置してなる表示部に画像データを出力して、前記表示部に画像を表示する画像表示装置において、
赤色、緑色、青色による色データを所定の選択順序により順次選択して出力するセレクタと、
前記色データ毎に、前記セレクタより出力される色データの位相を補正して出力する位相補正回路とを備え、
前記セレクタは、
前記選択順序の設定手段を有し、
前記設定手段による設定により、前記表示部における画素配列に対応するように前記選択順序が設定され、
前記位相補正回路は、
前記色データの位相を補正する特性を設定する特性設定手段を有し、
前記特性設定手段による設定により、前記表示部における前記画素配列に対応するように前記色データの空間位相を補正する
ことを特徴とする画像表示装置。
【発明の詳細な説明】
【技術分野】
【０００１】
本発明は、画像表示装置に関し、例えば電子スチルカメラに適用することができる。本発明は、色データを順次選択して位相特性を補正して出力するようにして、この色データの選択順序、位相特性を設定可能とすることにより、カラーフィルタの配列方式が異なる場合であっても、表示に供する画像データの処理回路を共用化することができるようにする。
【背景技術】
【０００２】
従来、電子スチルカメラ、ビデオカメラ等の撮像装置においては、内蔵の液晶表示パネルにより、さらには外部接続によるモニタ装置により撮像結果を確認できるようになされている。
【０００３】
ここで図６は、このような液晶表示パネルに係る従来のアナログ信号駆動による液晶表示装置の構成を示すブロック図である。この液晶表示装置１において、ディジタルシグナルプロセッサ（ＤＳＰ）２は、表示に供する画像データＤ１を入力し、この画像データＤ１を処理した後、アナログ信号による色信号ＳＲ、ＳＧ、ＳＢに変換してタイミング信号と共に出力する。すなわちディジタルシグナルプロセッサ２において、表示信号処理部３は、例えば各８ビットによる赤色、緑色、青色の色データによる画像データＤ１を入力してガンマ補正、輪郭補正等の信号処理を実行して出力する。ディジタルアナログ変換回路（Ｄ／Ａ）４は、この表示信号処理部３から出力される画像データをディジタルアナログ変換処理してアナログ信号による色信号ＳＲ、ＳＧ、ＳＢを生成する。ディジタルシグナルプロセッサ２は、この色信号ＳＲ、ＳＧ、ＳＢを水平同期信号ＨＤ、垂直同期信号ＶＤ等と共に出力する。
【０００４】
駆動回路６は、集積回路により形成され、これら色信号ＳＲ、ＳＧ、ＳＢ、水平同期信号ＨＤ、垂直同期信号ＶＤ等により液晶表示パネル７を駆動する。すなわち駆動回路６において、タイミングジェネレータ（ＴＧ）８は、水平同期信号ＨＤ、垂直同期信号ＶＤ等による液晶表示パネル７の駆動に供する各種タイミング信号を生成して出力し、ＲＧＢドライバ９は、色信号ＳＲ、ＳＧ、ＳＢを増幅して出力する。
【０００５】
液晶表示パネル７は、画素をマトリックス状に配置した例えばＴＦＴ（Thin Film Transistor）液晶による表示部１０と、この表示部１０を駆動する垂直駆動回路１１、水平駆動回路１２とが一体にガラス基板上に形成される。この液晶表示パネル７において、垂直駆動回路１１は、駆動回路６から出力されるタイミング信号に基づいて表示部１０のゲート線を駆動し、これにより表示部１０の画素をライン単位で順次選択する。水平駆動回路１２は、駆動回路６から出力されるタイミング信号に基づいて、駆動回路６から出力される色信号ＳＲ、ＳＧ、ＳＢを順次サンプリングして表示部１０の各信号線に振り分け、これにより色信号ＳＲ、ＳＧ、ＳＢにより各信号線を駆動する。
【０００６】
ここでこのような表示部１０においては、図７に示すように、同一色に係る画素が垂直方向に連続するように、水平方向に赤色、緑色、青色の画素Ｒ、Ｇ、Ｂを順次繰り返し配置してなるストライプ配列方式と、図８に示すように、１／２画素ピッチだけ水平方向にシフトさせて奇数ラインの画素を配置し、垂直方向に連続する２つのライン間における隣接する３つの画素が赤色、緑色、青色の画素Ｒ、Ｇ、Ｂとなるように、奇数ラインと偶数ラインとで順序を異ならせて水平方向に赤色、緑色、青色の画素Ｒ、Ｇ、Ｂを繰り返し配置してなるデルタ配列方式とがある。またデルタ配列方式においては、図９に示すように、奇数ライン及び偶数ラインでそれぞれ走査開始端側及び走査終了端側にダミーの画素（Ｄ）を配置して、１つの信号線ＳＩＧに同色の画素のみを接続した同色間配線による方式と、図１０に示すように、このようなダミーの画素（Ｄ）を省略して垂直方向に連続する画素を信号線ＳＩＧに接続して、異なる色の画素を１つの信号線ＳＩＧに接続してなる異色配線による方式とがある。
【０００７】
これらにより従来のアナログ信号駆動による液晶表示装置１においては、この表示部１０の方式に対応して専用に、駆動回路６、垂直駆動回路１１、水平駆動回路１２が構成され、これにより表示部１０の方式に対応して水平駆動回路１２に係る各種タイミング信号がタイミングジェネレータ８で生成されて各信号線ＳＩＧに係る色信号Ｒ、Ｇ、Ｂのサンプリングのタイミングが設定され、さらには各信号線ＳＩＧに係るサンプリング対象が設定されるようになされている。
【０００８】
また例えば撮像手段に対して表示部１０の向きを１８０度回転させてモニタする場合にあっては、制御信号により水平駆動回路１２及び垂直駆動回路１１の動作を切り換え、いわゆるＨ反転により水平駆動回路１２における色信号の振り分けを切り換えると共に、Ｖ反転により垂直駆動回路１１によるゲート線の駆動順序を切り換え、これにより上下方向、左右方向に正しい向きにより画像表示するようになされている。
【０００９】
ここでストライプ配列方式については、近年、図１１に示すように、ディジタル信号駆動による液晶表示装置が提供されるようになされている。すなわちこの液晶表示装置２１において、ディジタルシグナルプロセッサ２２は、図１２に示すように、画像データＤ１を例えば各８ビットによる赤色、緑色、青色の色データＤＲ、ＤＧ、ＤＢにより信号処理回路２３に入力し（図１２（Ａ）、（Ｂ）及び（Ｃ））、ここでこれら各８ビットの色データを信号処理して出力する。またこの画像データＤ２のチャンネルクロックＣＫ、水平同期信号ＨＤ、垂直同期信号ＶＤ等を出力する。
【００１０】
液晶表示パネル２４は、ストライプ配列方式の表示部２５と、この表示部２５を駆動する垂直駆動回路２６、水平駆動回路２７とガラス基板に一体に形成される。液晶表示パネル２４において、垂直駆動回路２６は、ディジタルシグナルプロセッサ２２から出力される水平同期信号ＨＤ等のタイミング信号により表示部２５の各画素をライン単位で選択し、水平駆動回路２７は、内蔵のシフトレジスタにより順次入力される画像データＤ２を順次各信号線に振り分けた後、ディジタルアナログ変換処理して各信号線を駆動する。
【００１１】
このようなディジタル信号駆動によるストライプ配列方式の液晶表示装置２１については、例えば特開平９−２１２３１号公報に開示の色ずれを防止する方法等、液晶表示パネルの駆動に係る種々の工夫が提案されるようになされている。
【００１２】
ところでデルタ配列方式についても、ディジタル信号駆動により液晶表示装置を構成することができれば、アナログ信号駆動による場合に比して、消費電力を低減し、さらには構成を簡略化して形状を小型化することができると考えられる。この場合に、デルタ配列方式とストライプ配列方式とで、画像データＤ１の処理回路であるディジタルシグナルプロセッサを共用化することができれば、開発期間の短縮等、種々に利便が図られる。
【特許文献１】特開平９−２１２３１号公報
【発明の開示】
【発明が解決しようとする課題】
【００１３】
本発明は以上の点を考慮してなされたもので、カラーフィルタの配列方式が異なる場合であっても、表示に供する画像データの処理回路を共用化することができる画像表示装置を提案しようとするものである。
【課題を解決するための手段】
【００１４】
かかる課題を解決するため請求項１の発明においては、画素をマトリックス状に配置してなる表示部で画像を表示する画像表示装置に適用して、赤色、緑色、青色による色データを所定の選択順序により順次選択して出力するセレクタと、色データ毎に、セレクタより出力される色データの位相を補正して出力する位相補正回路とを備え、セレクタは、選択順序の設定手段を有し、設定手段による設定により、表示部における画素配列に対応するように選択順序が設定され、位相補正回路は、色データの位相を補正する特性を設定する特性設定手段を有し、特性設定手段による設定により、表示部における画素配列に対応するように色データの空間位相を補正する。
【００１５】
また請求項４の発明においては、画素をマトリックス状に配置してなる表示部に画像データを出力して、表示部に画像を表示する画像表示装置に適用して、赤色、緑色、青色による色データを所定の選択順序により順次選択して出力するセレクタと、色データ毎に、セレクタより出力される色データの位相を補正して出力する位相補正回路とを備え、セレクタは、選択順序の設定手段を有し、設定手段による設定により、表示部における画素配列に対応するように選択順序が設定され、位相補正回路は、色データの位相を補正する特性を設定する特性設定手段を有し、特性設定手段による設定により、表示部における画素配列に対応するように色データの空間位相を補正する。
【００１６】
請求項１の構成により、画素をマトリックス状に配置してなる表示部で画像を表示する画像表示装置に適用して、赤色、緑色、青色による色データを所定の選択順序により順次選択して出力するセレクタと、色データ毎に、セレクタより出力される色データの位相を補正して出力する位相補正回路とを備え、セレクタは、選択順序の設定手段を有し、設定手段による設定により、表示部における画素配列に対応するように選択順序が設定され、位相補正回路は、色データの位相を補正する特性を設定する特性設定手段を有し、特性設定手段による設定により、表示部における画素配列に対応するように色データの空間位相を補正すれば、カラーフィルタの配列方式が異なる場合であっても、このカラーフィルタの配列方式による画素配列に対応する順序により各色データを出力して、また各色データの位相を補正して、表示部に画像を表示することができ、これによりカラーフィルタの配列方式が異なる場合であっても表示に供する画像データの処理回路を共用化して画像表示装置を構成することができる。
【００１７】
これにより請求項４の構成によれば、画素をマトリックス状に配置してなる表示部に画像データを出力して、表示部に画像を表示する画像表示装置に適用して、カラーフィルタの配列方式が異なる場合であっても、この場合は、表示に供する画像データの処理回路である画像表示装置を共用化することができる。
【発明の効果】
【００１８】
本発明によれば、カラーフィルタの配列方式が異なる場合であっても、表示に供する画像データの処理回路を共用化することができる。
【発明を実施するための最良の形態】
【００１９】
以下、適宜図面を参照しながら本発明の実施例を詳述する。
【実施例１】
【００２０】
（１）実施例の構成
図２は、本発明の実施例１に係る電子スチルカメラを示すブロック図である。この電子スチルカメラ３１において、撮像素子３２は、例えばＣＣＤ（Charge Coupled Device ）固体撮像素子であり、図示しない駆動回路から出力される各種のタイミング信号により動作して、例えば６４０×４８０画素によるＶＧＡ（Video Graphics Array）の撮像信号Ｓ１を出力する。
【００２１】
アナログディジタル変換回路（Ａ／Ｄ）３３は、この撮像信号Ｓ１をアナログディジタル変換処理して撮像データＤ３を出力する。カメラ信号処理回路３４は、この撮像データＤ３をホワイトバランス調整、ガンマ補正し、いわゆる４：２：２による輝度データ、色差データに変換してメモリコントローラ３５に出力する。
【００２２】
メモリコントローラ３５は、撮影時においては、このアナログディジタル変換回路３３から入力される画像データを画像データバスＢＵＳに出力してメモリ３６に順次記録するのに対し、外部記録メディア３７に記録した撮像結果のモニタ時においては、中央処理ユニット（ＣＰＵ）３８から出力される画像データを画像データバスＢＵＳに出力する。またメモリ３６に記録した画像データの外部記録メディア３７への記録が指示された場合、画像データバスＢＵＳに出力される画像データを中央処理ユニット３８に出力する。
【００２３】
メモリ３６は、いわゆる画像メモリであり、表示に供する画像データを記録して出力する。表示用信号処理回路３９は、このメモリ３６の画像データにより液晶表示パネル４０を駆動し、さらにはビデオ出力端子４１からビデオ信号を出力する。これによりこの電子スチルカメラ３１では、撮像素子３２から得られる撮像結果、外部記録メディア３７に記録した撮像結果を液晶表示パネル４０により確認できるようになされている。
【００２４】
解像度変換回路４２は、メモリ３６に記録した画像データの外部記録メディア３７への記録が指示された場合、中央処理ユニット３８の制御により、メモリ３６に記録された画像データを順次取得してユーザーにより指示された解像度に変換し、画像データバスＢＵＳを介して画像圧縮回路４３に出力する。またこれとは逆に、外部記録メディア３７に記録した撮像結果のモニタ時においては、画像圧縮回路４３から出力される画像データを画像データバスＢＵＳを介して取得し、元の解像度に変換してメモリ３６に出力する。
【００２５】
画像圧縮回路４３は、メモリ３６に記録した画像データの外部記録メディア３７への記録が指示された場合、中央処理ユニット３８の制御により、解像度変換回路４２から出力される画像データをデータ圧縮し、画像データバスＢＵＳを介してメモリコントローラ３５に出力する。またこれとは逆に、外部記録メディア３７に記録した撮像結果のモニタ時においては、メモリコントローラ３５から出力される画像データを取得してデータ伸長し、画像データバスＢＵＳを介して解像度変換回路４２に出力する。
【００２６】
外部記録メディア３７は、例えばメモリカードであり、中央処理ユニット３８の制御により撮像結果による画像データを記録して保持し、またこの記録して保持した画像データを中央処理ユニット３８に出力する。
【００２７】
中央処理ユニット３８は、所定の処理プログラムの実行により、ユーザーによる操作に応動してこの電子スチルカメラ３１の動作を制御する制御手段であり、通常の動作状態においては、撮像素子３２から出力される撮像信号Ｓ１より画像データＤ３を生成してメモリ３６に順次記録すると共に、このメモリ３６に記録した画像データにより液晶表示パネル４０を駆動するように全体の動作を制御する。これに対してユーザーによる撮像結果の記録が指示されると、メモリ３６に保持してなる画像データの解像度変換、データ圧縮を解像度変換回路４２、画像圧縮回路４３に指示し、その処理結果による画像データを取得して外部記録メディア３７に記録する。またこの外部記録メディア３７に記録した撮像結果のモニタがユーザーにより指示されると、対応する画像データを外部記録メディア３７から読み出して出力し、この画像データのデータ伸長、解像度変換を画像圧縮回路４３、解像度変換回路４２に指示し、その処理結果による画像データをメモリ３６に記録して液晶表示パネル４０により表示する。
【００２８】
これらによりこの電子スチルカメラ３１では、撮像結果を液晶表示パネル４０によりモニタして、所望する撮像結果を外部記録メディア３７に記録して保存し、またこの外部記録メディア３７に記録した撮像結果をモニタできるようになされている。
【００２９】
図３は、表示用信号処理回路３９及び液晶表示パネル４０の構成を示すブロック図である。この電子スチルカメラ３１において、液晶表示パネル４０は、デルタ配列方式による同色間配線又は異色間配線による表示部４５と、垂直駆動回路４６、水平駆動回路４７をガラス基板上に一体化して形成される。ここで垂直駆動回路４６は、この表示部４５に設けられた各画素を表示用信号処理回路３９から出力されるタイミング信号により順次ライン単位で選択する。水平駆動回路４７は、表示用信号処理回路３９から出力されるタイミング信号に基づいて、内蔵のシフトレジスタにより表示用信号処理回路３９から出力される画像データＤ７を順次ラッチすることにより、この画像データＤ７を表示部４５の各信号線に順次振り分ける。またこのようにして振り分けた画像データＤ７をそれぞれディジタルアナログ変換処理して各信号線の駆動信号を生成し、この駆動信号により各信号線を駆動する。
【００３０】
また液晶表示パネル４０において、中央処理ユニット３８によりＶ反転が指示されると、垂直駆動回路４６は、表示部４５におけるラインの選択順序を逆転させ、またＨ反転が指示されると、水平駆動回路４７は、信号線に対する入力画像データＤ７の振り分け順序を逆転させる。これにより液晶表示パネル４０は、これらＶ反転、Ｈ反転に対応するように、表示部４５における画素の駆動順序を逆転させるようになされている。
【００３１】
表示用信号処理回路３９は、ディジタルシグナルプロセッサにより形成され、画像データバスＢＵＳを介してメモリ３６から輝度データ及び色差データによる４：２：２形式による画像データＤ４がインタレース方式により入力される。この表示用信号処理回路３９において、色差信号補間回路５１は、補間演算処理により４：２：２形式による画像データＤ４を４：４：４形式による画像データＤ５に変換し、続くマトリックス回路５２は、マトリックス演算処理により、輝度データ及び色差データによる画像データＤ５を赤色、緑色、青色の色データによる画像データＤ６に変換する。
【００３２】
駆動回路５３は、セレクタ５４により、マトリックス回路５２から同時並列的に入力される赤色、緑色、青色による色データを所定の選択順序により順次選択して出力し、続く解像度位相補正回路５５により、色データ毎に、このセレクタ５４から出力される色データの位相を補正して出力する。これにより駆動回路５３は、画像データＤ６より液晶表示パネル４０の駆動に供する画像データＤ７を生成して液晶表示パネル４０に出力する。駆動回路５３は、レジスタへの設定値により、このような色データの選択順序、解像度位相補正回路５５による位相補正の特性を、ストライプ配列用とデルタ配列用とで切り換えることができるようになされ、これによりこの実施例においては、ストライプ配列による液晶表示パネルに適用可能な画像データの処理回路を用いて、デルタ配列による液晶表示パネル４０を駆動するようになされている。
【００３３】
すなわちセレクタ５４は、垂直同期信号を基準にした水平同期信号のカウント値ＶＣＮＴにより、色データの選択出力を開始する有効映像期間の開始ラインを各フィールドで検出し、この開始ラインより色データの選択出力を開始する。なおここでこの開始ラインにあっては、例えば奇数フィールドでは、２２ラインであり、偶数フィールドでは、２８５ラインである。
【００３４】
またセレクタ５４は、例えばレジスタへの設定値の１つである画素配列設定値ＤＤ１の各ビットをそれぞれ初期値に設定して画像データＤ７のチャンネルクロックＣＫを各色データ毎にカウントすることにより、レジスタへの設定値に基づいて、液晶表示パネル４０の画素配列に対応するように、順次、色データを選択して出力する。
【００３５】
すなわち図４に示すように、セレクタ５４は、液晶表示パネル４０が図７について上述したストライプ配列によるものの場合、赤色、緑色、青色の色データによる画像データＤ６に対して（図４（Ａ１）〜（Ａ３））、この画像データＤ６のチャンネルクロックＣＫ（図４（Ｂ））に同期して、偶数ライン及び奇数ラインの双方で、赤色、緑色、青色の順序により順次色データを選択出力する（図４（Ｄ１）及び（Ｄ２））。このときセレクタ５４は、チャンネルクロックＣＫの１／３周期で、これら赤色、緑色、青色の色データを同時にサンプリングして出力することにより、赤色の色データＲ０、Ｒ１、Ｒ２、Ｒ３、Ｒ４、……、緑色の色データＧ０、Ｇ１、Ｇ２、Ｇ３、Ｇ４、……、青色の色データＢ０、Ｂ１、Ｂ２、Ｂ３、Ｂ４、……による画像データＤ６に対して、Ｒ０、Ｇ０、Ｂ０、Ｒ３、Ｇ３、Ｂ３、Ｒ６、Ｇ６、Ｂ６……の順序により、赤色、緑色、青色の色データを同一の空間位相により間引きして出力する。
【００３６】
これに対して駆動対象の液晶表示パネルが図８について上述したデルタ配列によるものの場合であって、図９について上述した同色間配線によるものの場合、ストライプ配列によるものの場合と同一の順序により色データを出力する。なおこの場合、ライン判別により、奇数ライン及び偶数ラインにおいては、それぞれ走査終了端及び走査開始端にダミーデータによる画像データが割り当てられる。これに対してデルタ配列にあって、図１０について上述した異色間配線によるものの場合、図５に示すように、画像データＤ６（図５（Ａ１）〜（Ａ３））のチャンネルクロックＣＫ（図５（Ｂ））により、奇数ラインでは、ストライプ配列によるものの場合と同一に色データを出力するのに対し（図５（Ｄ１））、偶数ラインにおいては、色データの出力順序を異ならせて、緑色の色データ、青色の色データ、赤色の色データの順序で出力する（図５（Ｄ２））。これらの処理においてセレクタ５４は、チャンネルクロックＣＫによりこれら赤色、緑色、青色の色データを順次サンプリングして出力することにより、これら赤色の色データＲ０、Ｒ１、Ｒ２、Ｒ３、Ｒ４、……、緑色の色データＧ０、Ｇ１、Ｇ２、Ｇ３、Ｇ４、……、青色の色データＢ０、Ｂ１、Ｂ２、Ｂ３、Ｂ４、……による画像データＤ６に対して、例えばＲ０、Ｇ１、Ｂ２、Ｒ３、Ｇ４、Ｂ５、Ｒ６、Ｇ７、Ｂ８……の順序により、赤色、緑色、青色の色データを対応する画素の空間位相により間引きして出力する。
【００３７】
解像度位相補正回路５５は、このように液晶表示パネル４０の画素配列に対応する順序により順次出力される色データＤ８について、ＦＩＲフィルタ５７、正規化演算器６１により解像度、位相を補正し、これにより液晶表示パネル４０の各画素の配列に対応する空間位相により色データＤ７を出力する。
【００３８】
すなわち図１に示すように、この解像度位相補正回路５５において、出力位相演算器５８は、偶数ラインと奇数ラインとの判別信号ＯＥに基づいて、レジスタに設定された液晶表示パネル４０における水平方向の走査開始端の画素における空間位相により、各画素毎に、位相補正用の補正係数を生成する。しかしてこの実施例においては、奇数ライン初期位相設定値ＤＯＰ又は偶数ライン初期位相設定値ＤＥＰにより、入力画像データＤ６のサンプリング周期を基準にして、それぞれ奇数ラインと偶数ラインとで、走査開始端の画素における空間位相を設定できるようになされている。またこの入力画像データＤ６のサンプリング周期を基準にして、出力画像データＤ７のサンプリング周期を出力サンプル間隔設定値ＤＳＰによりレジスタに設定できるようになされている。
【００３９】
これにより出力位相演算器５８は、これらの設定値ＤＯＰ、ＤＥＰ、ＤＳＰに基づいて、出力画像データＤ７の各サンプルについて、入力画像データＤ６の対応するサンプルに対する位相差を順次計算する。またこのようにして計算した位相差により、ルックアップテーブル（ＬＵＰ）５９を検索し、これにより補正係数を検出する。
【００４０】
ここでルックアップテーブル５９は、出力位相演算器５８で計算される位相差毎に、ＦＩＲフィルタ５７に設定する係数データを保持し、出力位相演算器５８からの位相差によるアクセスにより対応する係数データを補正係数として出力する。
【００４１】
これに対してＦＩＲフィルタ５７は、例えばセレクタ５４から出力される画像データＤ８を順次遅延させる複数の遅延回路を有し、この遅延回路により各色毎に、連続する５サンプリングの色データを出力位相演算器５８から出力される補正係数により重み付け加算して出力する。
【００４２】
係数走査演算器６０は、このようにしてＦＩＲフィルタ５７に設定する補正係数を加算して加算結果を出力し、正規化演算器６１は、この加算結果によりＦＩＲフィルタ５７の出力データを割り算して出力する。これによりこの解像度位相補正回路５５は、セレクタ５４により順次出力される画像データＤ６の解像度を液晶表示パネル４０に対応する解像度に変換し、またこの処理において、出力画像データＤ６を構成する各色データの空間位相を液晶表示パネル４０の対応する画素の空間位相に補正するようになされている。
【００４３】
表示用信号処理回路３９は、このようにセレクタ５４、解像度位相補正回路５５に設定するレジスタの設定値が、Ｖ反転、Ｈ反転に対応して設けられ、これによりＨ反転した場合には、このＨ反転により逆転する表示部４５におけるライン方向の走査順序に対応するように、またＶ反転した場合には、偶数ラインによる選択順序と奇数ラインによる選択順序とを入れ換えて、セレクタ５４により順次色データを選択するようになされている。またこれらＶ反転、Ｈ反転による走査順序の切り換えに対応するように、解像度位相補正回路５５における空間位相の補正を切り換えるようになされている。
【００４４】
しかしてこれらによりこの電子スチルカメラ３１は、製造時、これら表示用信号処理回路３９の各レジスタへの設定値が図示しないメモリに記録され、電子スチルカメラ３１の動作を制御する中央処理ユニット３８においては、電源起動時、このメモリに記録した設定値をロードして表示用信号処理回路３９の対応するレジスタに設定するようになされている。
【００４５】
（２）実施例の動作
以上の構成において、この電子スチルカメラ３１では（図２）、撮像素子３２から得られる撮像結果がアナログディジタル変換回路３３により画像データに変換され、カメラ信号処理回路３４等によりこの画像データのガンマ等が補正される。またさらにカメラ信号処理回路３４から出力される画像データがメモリコントローラ３５によりメモリ３６に記録される。撮像結果は、このメモリ３６に記録された画像データＤ３が解像度変換回路４２により所望の解像度に変換された後、画像圧縮回路４３によりデータ圧縮され、メモリコントローラ３５、中央処理ユニット３８を介して外部記録メディア３７に記録される。またこのようにして外部記録メディア３７に記録された画像データにおいては、記録時とは逆に処理されてメモリ３６に格納される。しかしてこのようにしてメモリ３６に記録されてなる画像データＤ３は、表示用信号処理回路３９により処理されて液晶表示パネル４０の駆動に供され、これにより電子スチルカメラ３１では、撮像素子３２から得られる撮像結果、外部記録メディア３７に記録した撮像結果を液晶表示パネル４０によりモニタすることができるようになされている。
【００４６】
電子スチルカメラ３１では（図３）、輝度データ及び色差データの形式によりメモリ３６の撮像結果による画像データＤ４が格納され、この画像データＤ４が表示用信号処理回路３９に入力されて色差信号補間回路５１により色差データが補間処理された後、マトリックス回路５２により赤色、緑色、青色の色データによる画像データＤ６に変換される。さらに駆動回路５３によりこの画像データＤ６の各色データが時分割多重化処理されて各種タイミング信号と共に液晶表示パネル４０に出力され、これにより撮像素子３２から得られる撮像結果、外部記録メディア３７に記録した撮像結果が液晶表示パネル４０に表示される。
【００４７】
電子スチルカメラ３１では（図１）、この駆動回路５３の処理に関して、液晶表示パネル４０における画素の配列順序を示す画素配列設定値ＤＤ１、奇数ライン及び偶数ラインについて、それぞれ走査開始端の画素に係る空間位相を指示する奇数ライン初期位相設定値ＤＯＰ又は偶数ライン初期位相設定値ＤＥＰ、出力画像データＤ７のサンプリング周期を示す出力サンプル間隔設定値ＤＳＰがメモリに記録して保持され、電源起動時、これらの設定値が表示用信号処理回路３９に設定される。
【００４８】
駆動回路５３において、これらの設定値のうち画素配列設定値ＤＤ１に基づいて、セレクタ５４により画像データＤ６を構成する赤色、緑色、青色の色データが順次選択出力され、これによりこの画素配列設定値ＤＤ１の設定により、液晶表示パネル４０の画素配列に対応する順序により順次色データが選択されて出力される。この実施例では、液晶表示パネル４０がデルタ配列によるカラーフィルタにより形成されて、異色間配線の場合、このデルタ配列に対応するように画素配列設定値ＤＤ１が設定され、これにより奇数ラインにあっては、赤色、緑色、青色の順序により色データが順次選択されるのに対し、偶数ラインにあっては、緑色、青色、赤色の順序により色データが順次選択され（図５）、これにより液晶表示パネル４０の画素配列に対応する順序により順次色データが選択される。
【００４９】
これに対してストライプ配列方式による場合、さらにはデルタ配列による場合であって、同色間配線の場合、これらに対応するように、画素配列設定値ＤＤ１が設定され、これにより奇数ライン及び偶数ラインで、赤色、緑色、青色の順序により色データが順次選択され、これによりこの場合も、液晶表示パネルの画素配列に対応する順序により順次色データが選択される。
【００５０】
またこのようにして画素配列に対応する順序により順次色データを時分割多重化されてなる画像データＤ８にあっては、続くＦＩＲフィルタ５７により各色毎に位相特性が補正された後、正規化演算器６１により画素値が補正され、これにより液晶表示パネル４０の画素配列に対応するように空間位相が設定されて出力される。すなわちこの位相の補正においては、奇数ライン及び偶数ラインでそれぞれ奇数ライン初期位相設定値ＤＯＰ又は偶数ライン初期位相設定値ＤＥＰ、出力サンプル間隔設定値ＤＳＰにより、出力画像データＤ７の各サンプリング毎に、セレクタ５４から出力される対応する色データとの間の位相差が計算され、この位相差を補正するようにルックアップテーブル５９によりＦＩＲフィルタ５７の係数データが検出され、この係数データがＦＩＲフィルタ５７に設定される。これによりこの電子スチルカメラ３１では、デルタ配列による画素配列に対応する空間位相により画像データＤ７を液晶表示パネル４０に出力して、違和感の無い画像を表示することができる。またこの駆動対象の液晶表示パネルがストライプ方式によるものの場合には、これら奇数ライン初期位相設定値ＤＯＰ又は偶数ライン初期位相設定値ＤＥＰ、出力サンプル間隔設定値ＤＳＰを画素配列に対応するように設定して駆動することができ、これらによりカラーフィルタの配列方式が異なる場合であっても、表示に供する画像データの処理回路をこれら異なる配列方式で共用化して画像表示することができる。
【００５１】
またこのようにして画像表示して、例えばユーザーによる液晶表示パネル４０の向きが切り換えられた場合には、この切り換えにより中央処理ユニット３８からＶ反転及び又はＨ反転が指示され、Ｈ反転の場合には、液晶表示パネル４０において、ライン単位で各信号線への画像データの振り分け順序が逆転される。またセレクタ５４における色データの選択順序が逆転され、また解像度位相補正回路５５における位相補正が切り換えられ、これらによりＨ反転に対応する順序、空間位相による色データの時分割多重化による画像データＤ７が出力されて正しく画像表示される。またＶ反転の場合には、セレクタ５４における色データの選択順序が奇数ライン、偶数ラインとで入れ換えられ、またこれに対応するように位相補正が切り換えられ、これらによりＶ反転にあっても正しく画像表示することができる。
【００５２】
（３）実施例の効果
以上の構成によれば、色データを順次選択して位相特性を補正して出力するように構成して、この色データの選択順序、位相特性を補正する特性を設定可能とすることにより、カラーフィルタの配列方式が異なる場合であっても、表示に供する画像データの処理回路を共用化することができる。
【００５３】
具体的に、この設定可能な選択順序、位相特性の補正が、ストライプ配列による画素配列に対応するものと、デルタ配列による画素配列に対応するものとであることにより、ストライプ配列とデルタ配列とで表示に供する画像データの処理回路を共用化することができる。
【００５４】
またこのような配列順序、位相特性の補正に係る初期位相のデータをレジスタに設定して、この設定値により色データを選択し、また各画素に係る位相を検出して位相特性を補正することにより、簡易な設定によりストライプ配列とデルタ配列とで表示に供する画像データの処理回路を共用化することができる。
【実施例２】
【００５５】
なお上述の実施例においては、液晶表示パネルを駆動する場合について述べたが、本発明はこれに限らず、種々のフラットディスプレイ装置に広く適用することができる。
【００５６】
また上述の実施例においては、本発明を電子スチルカメラに適用した場合について述べたが、本発明はこれに限らず、ビデオカメラ等、種々の画像表示装置に広く適用することができる。
【産業上の利用可能性】
【００５７】
本発明は、例えば電子スチルカメラに適用することができる。
【図面の簡単な説明】
【００５８】
【図１】本発明の実施例に係る電子スチルカメラの駆動回路を示すブロック図である。
【図２】本発明の実施例に係る電子スチルカメラを示すブロック図である。
【図３】図２の電子スチルカメラの表示信号処理回路を示すブロック図である。
【図４】デルタ配列の場合における図１の駆動回路の動作の説明に供するタイムチャートである。
【図５】ストライプ配列の場合における図１の駆動回路の動作の説明に供するタイムチャートである。
【図６】従来のアナログ信号駆動による液晶表示装置を示すブロック図である。
【図７】ストライプ配列を示す平面図である。
【図８】デルタ配列を示す平面図である。
【図９】同色間配線を示す平面図である。
【図１０】異色間配線を示す平面図である。
【図１１】従来のディジタル信号駆動による液晶表示装置を示すブロック図である。
【図１２】図１１の表示装置の動作の説明に供するタイムチャートである。
【符号の説明】
【００５９】
１、２１……液晶表示装置、２、２２……ディジタルシグナルプロセッサ、７、２４、４    ０……液晶表示パネル、３１……電子スチルカメラ、３６……メモリ、３９……表示    用信号処理回路、５３……駆動回路、５４……セレクタ、５５……解像度位相補正回    路
２、
【図１】
2006047603.tif 000003
【図２】
2006047603.tif 000004
【図３】
2006047603.tif 000005
【図４】
2006047603.tif 000006
【図５】
2006047603.tif 000007
【図６】
2006047603.tif 000008
【図７】
2006047603.tif 000009
【図８】
2006047603.tif 000010
【図９】
2006047603.tif 000011
【図１０】
2006047603.tif 000012
【図１１】
2006047603.tif 000013
【図１２】
2006047603.tif 000014
【手続補正書】
【提出日】平成16年11月1日(2004.11.1)
【手続補正１】
【補正対象書類名】明細書
【補正対象項目名】００１１
【補正方法】変更
【補正の内容】
【００１１】
このようなディジタル信号駆動によるストライプ配列方式の液晶表示装置２１については、例えば特開平９−２１２１３１号公報に開示の色ずれを防止する方法等、液晶表示パネルの駆動に係る種々の工夫が提案されるようになされている。
【手続補正２】
【補正対象書類名】明細書
【補正対象項目名】００１２
【補正方法】変更
【補正の内容】
【００１２】
ところでデルタ配列方式についても、ディジタル信号駆動により液晶表示装置を構成することができれば、アナログ信号駆動による場合に比して、消費電力を低減し、さらには構成を簡略化して形状を小型化することができると考えられる。この場合に、デルタ配列方式とストライプ配列方式とで、画像データＤ１の処理回路であるディジタルシグナルプロセッサを共用化することができれば、開発期間の短縮等、種々に利便が図られる。
【特許文献１】特開平９−２１２１３１号公報